(57)【要約】      （修正有）【課題】保管場所の制限を軽減して、任意の場所にある磁性体の表面に鎌自体を、容易かつ確実に吸着させて保持・保管することができる鎌を提供する。【解決手段】鎌１は、筒状の柄２の先端に刃板３の中子を固定するための固定部材５と、刃板および固定部材をしっかりと柄に固定するリベット６を有する。鎌は、柄の内部に、外部の磁性体９に吸着する磁石７と、磁石を柄の内部に保持するホルダー８とを有する。磁石は、ホルダーを介して柄の内部の刃板３側の端部近傍に位置する。【選択図】図５
0003208921.tif 000002
【実用新案登録請求の範囲】
【請求項１】
筒状の柄の一端に刃板の中子を固定するための固定部材を有する鎌であって、
前記柄の内部に、外部の磁性体に吸着する磁石と、該磁石を前記柄の内部に保持するホルダーとを有し、
前記磁石は、前記ホルダーを介して前記柄の内部の刃板側の端部近傍に位置することを特徴とする鎌。
【請求項２】
前記固定部材は、前記中子を挿嵌させる溝及び前記ホルダーの一部を無理嵌めするための溝を有し、
前記ホルダーは、前記溝に無理嵌めして固定するための板部と、前記磁石を保持する保持部と、前記板部と前記保持部とをつなぐ接続部とを有し、
前記保持部は、前記柄の内面と共同して前記磁石の四周を囲むことを特徴とする請求項１記載の鎌。
【請求項３】
前記ホルダーは、前記磁石の前記柄の他端側への抜け落ちを防止する停止片を有することを特徴とする請求項１または請求項２記載の鎌。
【考案の詳細な説明】
【技術分野】
【０００１】
本考案は、保管時に吸着保持させておくための磁石を備えた鎌に関する。
【背景技術】
【０００２】
従来、特許文献１に示すように、使用していない作業の時に鎌を収納袋に収納して腰に下げることで、安全に携行するものが知られている。また、鎌の整頓用具として、特許文献２に示すように、鎌の刃板部分を磁力で吸着保持する永久磁石体と、鎌刃への吸着を損なわない程度でその磁石体の表面より少し高い目にして磁石体の周辺に設置した弾性体とを固設し、所定場所に設置する台板とからなるものが知られている。
【先行技術文献】
【特許文献】
【０００３】
【特許文献１】特開２００３−１２５６２４号公報
【特許文献２】実開昭６３−１７６０８９号公報
【考案の概要】
【考案が解決しようとする課題】
【０００４】
収納袋などに収納して持ち歩く場合は、作業によっては収納した鎌が邪魔になることがある。前記磁石を設けた台板を所定場所に設置し、台板に設けた磁石に刃板を吸着保持するものでは、磁石を設けた場所でしか保管できないため、保管場所が制限されたり、予め整頓用具などを設置する手間が必要となったりなど使い勝手があまり良くない。また、鎌の保持・保管に磁石を用いる場合、使用者が磁石の位置を容易に把握できるように、磁石の位置を規定することが望まれる。
【０００５】
したがって、上記従来技術の欠点である保管場所の制限を軽減して、任意の場所にある磁性体の表面に鎌自体を、容易かつ確実に吸着させて保持・保管することができる鎌を提供することを目的とする。
【課題を解決するための手段】
【０００６】
本考案の鎌は、上記課題に鑑み、筒状の柄の一端に刃板の中子を固定するための固定部材を有する鎌であって、柄の内部に、外部の磁性体に吸着する磁石と、磁石を柄の内部に保持するホルダーとを有し、磁石は、ホルダーを介して柄の内部の刃板側の端部近傍に位置する、ことを特徴とするものである。
【０００７】
また、上述した構成に加え、固定部材は、中子を挿嵌させる溝及びホルダーの一部を無理嵌めするための溝を有し、ホルダーは、溝に無理嵌めして固定するための板部と、磁石を保持する保持部と、板部と保持部とをつなぐ接続部とを有し、柄の内面と共同して磁石の四周を囲むことが好ましい。
【０００８】
また、上述した構成に加え、ホルダーは、磁石の柄の他端側への抜け落ちを防止する停止片を有することが好ましい。
【考案の効果】
【０００９】
本考案は、鎌の柄の内部に磁石を有するため、外部の磁性体に磁石を介して鎌を容易に張り付けることができる。これにより、鎌は、保管先に鎌用の収納袋や磁石などを設けなくても、トラクターのボディなどの磁性体を有する構造物に容易に吸着させて保持・保管することができる。
【００１０】
さらに、本考案は、磁石を刃板用の固定部材に固定することで、簡素な構成で磁石の位置決め・保持を行うことができる。これにより、本考案は、使用者が磁石の位置を容易に把握することができ、張り付けの安定性や確実性を向上させることができる。また、鎌は、振り回しやすさなどの観点から一般的に柄の刃板側の端部近傍に重心が位置する。このため、本考案は、磁石を柄の刃板側の端部近傍に配置したことで、安定して磁性体に張り付けることができる。
【００１１】
本考案は、磁石を柄の内部に設けたことで、磁石が外観に露出せず、鎌の使用時に磁石が外部の周辺物と接触することを防止でき、磁石を鎌の使用の妨げになり難くすることができる。本考案は、鎌が柄の位置で磁性体に張り付くため、刃板を磁石に張り付けて保管する場合に比べて、刃部を傷めにくくできる。
【００１２】
前記鎌は、保持部が柄の内面と共同して磁石の四周を囲むことで、磁石の移動を制限しつつ、柄の内面と磁石との間にホルダーを位置させずに磁石を柄の内面に近接させて配置することができる。このため、本考案は、この磁石を内面に近接させた位置で鎌をなるべく強い力で磁性体に張り付けることができる。さらに、本考案は、磁石を所定位置に確保して、磁性体への吸着を容易にかつ確実に行うことができる。
【００１３】
前記鎌は、ホルダーが磁石の抜け落ちを防止する停止片を有することで、鎌の使用時や磁性体との着脱時などにおいて、磁石のホルダーからの抜け落ちを防止することができる。このため、本考案は、簡素な構成で磁石を所定位置に確保して、磁性体への吸着を容易にかつ確実に行うことができる。
【図面の簡単な説明】
【００１４】
【図１】本考案の実施形態に係る鎌の一例を示す側面図である。
【図２】図１の鎌の柄を省略した固定部材近傍の側面図である。
【図３】図１の鎌の固定部材近傍のＡ−Ａ’線断面図である。
【図４】図１の鎌のホルダーの斜視図である。
【図５】図２の鎌を磁性体に保管した状態の模式図である。
【考案を実施するための形態】
【００１５】
本考案の実施形態について図面に基づいて詳細に説明する。
【００１６】
鎌１は、図１に示すように、筒状の柄２と、柄２の一端に設けられる刃板３と、柄２を把持するための握り４と、刃板３を柄２に固定する固定部材５と、刃板３および固定部材５を柄２から抜けないようにしっかりと固定するリベット６とを有する。柄２は、例えば、円筒形状である。握り４は柄２の一部に形成される。握り４は、柄２の刃板３側とは反対側の端部の外周を覆う。握り４は、例えば、把持した際に滑りにくいゴム製である。さらに、鎌１は、図２に示すように、外部の磁性体９（図５参照）に吸着する磁石７と、磁石７を固定部材５に保持するホルダー８とを柄２の内部に有する。
【００１７】
刃板３は、板状である。刃板３は、固定部材５に固定される中子３１と、中子３１から突出する刃部３２とを有する。刃部３２は、例えば、鋸状（図面では省略する）である。以下、説明の便宜上、柄２を基準に刃部３２側を上、握り４側を下とする。
【００１８】
固定部材５は、円柱状である。固定部材５は、柄２の内部に挿嵌される。固定部材５は、柄２と略同軸で柄２の軸方向の一端（上端）側に位置する。固定部材５の軸方向の寸法（上下寸法）は、中子３１の上下寸法より長い。固定部材５は、図３に示すように、中子３１を挿嵌する第１溝５１と、リベット６を挿通する第２溝５２とを有する。
【００１９】
第１溝５１は、固定部材５の上下両方に開口し、前後両方に凹み形成される。第１溝５１は、左右幅が中子３１の板厚と略同寸で前後幅が中子３１の板幅と略同寸の長方形状の空間を有する。鎌１は、第１溝５１の上部に中子３１を挿嵌して、刃板３を固定部材５に固定する。このとき、刃板３の刃部３２は柄２の上方に突出する。
【００２０】
第２溝５２は、長方形状の空間を有し、平面視第１溝５１に直交して形成される。第２溝５２は、固定部材５の左右両方および下方に開口する。第２溝５２はその溝幅（前後幅）が第１溝５１の溝幅（左右幅）よりも大きい。リベット６は、左右方向に沿って中子３１に挿嵌して第２溝５２に配置され、中子３１および固定部材５の柄２からの抜けを防止する。
【００２１】
磁石７は、図４に示すように、長方形状の棒状である。磁石７は、その前後幅が第２溝５２の前後幅よりも小さく、磁石７は、第２溝５２に配置できる寸法となっている。
【００２２】
ホルダー８は、第１溝５１に無理嵌めして固定される板部８１と、磁石７を保持する保持部８３と、板部８１および保持部８３を繋ぐ接続部８２とからなる。ホルダー８は、例えば、磁性体で形成されることで、磁石７が張り付き、磁石７を保持しやすくなり好ましい。
【００２３】
板部８１は、その板厚が中子３１の板厚（第１溝５１の左右幅）よりも大きく、かつ中子３１の板幅よりも小さい。なお、本実施形態では、第１溝５１が、中子３１を挿嵌させる溝と、ホルダー８の一部を無理嵌めするための溝とを兼ねているが、これらの溝を夫々設けてもよい。
【００２４】
保持部８３は、接続部８２の下端に延設された当接板８４と、当接板８４の下端に延設された停止片８５と、当接板８４の前後両端夫々に延設された二つの側片８６とからなる。当接板８４は、磁石７の下部の軸心側の面全体に当接される。
【００２５】
停止片８５は、当接板８４から磁石７側に突出して形成される。停止片８５は、磁石７の下端近傍に位置する。停止片８５は、磁石７が下方に移動しようとする際に磁石７の下端に接触することでその移動を停止させて、磁石７のホルダー８から下方への抜け落ちを防止する。側片８６は夫々、当接板８４から磁石７側に突出して形成される。側片８６は夫々、磁石７の対応する前後端近傍に位置して、磁石７の前後方向への移動を制限する。
【００２６】
ホルダー８は、図３に示すように、板部８１で固定部材５に固定される。このとき、ホルダー８に保持された磁石７は、その上部が第２溝５２に位置した状態で、柄２の内面近傍に位置決め保持される。そして、保持部８３は、柄２の内面と共同して、磁石７の四周を囲み、柄２の内部における磁石７の移動を制限する。
【００２７】
鎌１は、図５に示すように、柄２の内部に設けた磁石７により外部の磁性体９に容易に張り付けることができる。これにより、鎌１は、鎌１用の収納袋や磁石などを設けなくても、トラクターの鉄鋼製のボディなどの磁性体９を有する構造物に容易に吸着させて保持・保管することができる。さらに、鎌１を使った作業中に別の作業を行わなければならないような場合に、一時的に鎌１を例えば近くの農機具などに吸着させておくことができる。
【００２８】
さらに、鎌１は、磁石７を柄２の内部に設けたことで、磁石７が外観に露出せず、鎌１の使用時に磁石７が外部の周辺物と接触することを防止でき、磁石７を鎌１の使用の妨げになり難くすることができる。鎌１は、柄２の位置で磁性体９に張り付くため、刃板３を磁石７に張り付けて保管する場合に比べて、刃部３２を傷めにくくできる。
【００２９】
また、鎌１は振り回しやすさなどの観点から一般的に柄２の上端部近傍に重心が位置する。このため、鎌１は、磁石７を柄２の上端部近傍に配置したことで、安定して磁性体９に張り付けることができる。さらに、鎌１は、ホルダー８が磁石７を固定部材５に保持することで、簡素な構成で磁石７の位置決め・保持を行うことができる。これにより、鎌１は、使用者が磁石７の位置を容易に把握することができ、張り付けの安定性や確実性を向上させることができる。
【００３０】
ホルダー８は、保持部８３が柄２の内面と共同して磁石７の四周を囲むため、磁石７の前後および左右の移動を制限しつつ、柄２と磁石７との間にホルダー８を位置させずに磁石７を柄２に近接させて配置することができる。このため、鎌１は、この磁石７を内面に近接させた位置で磁性体９に張り付けることで、磁性体９との間にホルダー８が介在する場合に比べて磁力による張り付けを強固に行うことができる。さらに、鎌１は、保持部８３が柄２の内面と共同して磁石７の四周を囲むため、磁石７の前後および左右の移動を制限することができる。このため、鎌１は、磁石７を所定位置に確保して、磁性体９への吸着を容易にかつ確実に行うことができる。
【００３１】
鎌１は、停止片８を有することで、鎌１の使用時や磁性体９との着脱時などにおいて、磁石７のホルダー８から柄２の下端側への抜け落ちを防止することができる。このため、鎌１は、磁石７を所定位置に確保して、磁性体９への吸着を容易にかつ確実に行うことができる。また、鎌１は、磁石７の上部を第２溝５２に配置することで、第２溝５２やリベット６により磁石７の上方への移動を制限することができる。
【符号の説明】
【００３２】
１…鎌、２…柄、３…刃板、３１…中子、３２…刃部、４…握り、５…固定部材、５１…第１溝、５２…第２溝、６…リベット、７…磁石、８…ホルダー、８１…板部、８２…接続部、８３…保持部、８４…当接板、８５…停止片、８６…側片、９…磁性体
【図１】
0003208921.tif 000003
【図２】
0003208921.tif 000004
【図３】
0003208921.tif 000005
【図４】
0003208921.tif 000006
【図５】
0003208921.tif 000007